(57)【要約】【課題】コネクタから引き出された電線の向きを規制することで、取付部材に対してコネクタを移動可能な状態で保持することを目的とする。【解決手段】待ち受けコネクタ７０を収容した機器のケース９０に固定される取付部材１０に取り付けられ、前記待ち受けコネクタ７０と嵌合するコネクタ２０であって、電線Ｗと接続された端子金具４０と、前記端子金具４０を収容するコネクタハウジング２１と、前記コネクタハウジング２１の前記取付部材１０側に取り付けられるカバー部材５０とを備えており、前記カバー部材５０は、前記電線Ｗを嵌合方向と交差する方向に引き出すように前記取付部材１０側から前記電線Ｗを押さえ込む押さえ込み部５１と、前記取付部材１０に設けられた保持部１１に対して前記待ち受けコネクタ７０との嵌合方向と直交する面内で移動可能な状態で保持される被保持部６１とを有している。【選択図】図１３
2017117625.tif 000002
【特許請求の範囲】
【請求項１】
待ち受けコネクタを収容した機器のケースに固定される取付部材に取り付けられ、前記待ち受けコネクタと嵌合するコネクタであって、
電線と接続された端子金具と、
前記端子金具を収容するコネクタハウジングと、
前記コネクタハウジングの前記取付部材側に取り付けられるカバー部材とを備えており、
前記カバー部材は、前記電線を嵌合方向と交差する方向に引き出すように前記取付部材側から前記電線を押さえ込む押さえ込み部と、前記取付部材に設けられた保持部に対して前記待ち受けコネクタとの嵌合方向と直交する面内で移動可能な状態で保持される被保持部とを有しているコネクタ。
【請求項２】
前記カバー部材の取付部材側の端部には、前記被保持部として前記待ち受けコネクタとの嵌合方向と直交する面内において所定方向に突出する係合片が設けられており、
前記取付部材には、前記保持部として、前記待ち受けコネクタとの嵌合方向と直交する面内において前記係合片の突出方向と交差する方向に延びて前記係合片と係合する係合溝が設けられると共に、前記係合片と前記係合溝との間には前記係合溝の延びる方向に前記コネクタを移動させるクリアランスが設けられており、
前記カバー部材には、前記被保持部として前記待ち受けコネクタとの嵌合方向と直交する面内において前記取付部材側に突出し、かつ前記係合片の突出方向に延びる弾性係止片が設けられ、前記取付部材には、前記保持部として前記弾性係止片とが係止する係止部が設けられると共に、前記弾性係止片と前記係止部との間には前記弾性係止片の延びる方向に前記コネクタを移動させるクリアランスが設けられている請求項１に記載のコネクタ。
【請求項３】
請求項１または請求項２に記載のコネクタと嵌合する待ち受けコネクタであって、
前記待ち受けコネクタのコネクタハウジングには、前記コネクタの嵌合時に前記コネクタの先端部が当接して前記コネクタを所定の嵌合位置に誘い込む誘い込みテーパー面が設けられており、
前記誘い込みテーパー面は、前記取付部材を前記ケースに取り付ける状態において前記コネクタの移動可能な領域よりも広い範囲に形成されている待ち受けコネクタ。
【発明の詳細な説明】
【技術分野】
【０００１】
本明細書に開示される技術はコネクタ及びこのコネクタに嵌合する待ち受けコネクタに関する。
【背景技術】
【０００２】
従来、例えば車載用インバータ等の電装品機器においては、そのケース内に設けられた端子台の端子とバスバーとのボルト締結作業を行うために、ケースに作業用の開口部が設けられている。ボルト締結作業が完了した後は、作業用の開口部から機器内に水や埃などが侵入しないように、上から開口部を塞ぐサービスカバーがケースに取り付けられる。サービスカバーの取付け忘れを防止するためには、ケース内に待ち受けコネクタを設けておき、一方、サービスカバーの下面にはその待ち受けコネクタと嵌合する嵌合検知用のコネクタを設け、コネクタの嵌合ひいてはサービスカバーの取付け完了を検出できるようにしている。
【０００３】
このようなコネクタが設けられたサービスカバーの一例として、特開２０１２−２４８４１５号公報（下記特許文献１）に記載のものが知られている。このサービスカバーでは、その下面にコネクタが設けられているため、サービスカバーを取り付ける作業中においてコネクタの嵌合部を目視しにくく、いわば手探りの取付け作業を強いられる。また、サービスカバーとコネクタ及びケースと待ち受けコネクタとの間の寸法公差などによって、サービスカバーを正規位置に取り付けたとしても、コネクタと待ち受けコネクタとの間には位置ずれを生じることがあり、両コネクタを確実に嵌合させることができないおそれがある。
【０００４】
そこで、特開２０１２−２４８４１５号公報（下記特許文献１）の発明では、両者間の位置ずれを修正して両コネクタを確実に嵌合させるために、コネクタをサービスカバーに対して嵌合方向と直交する二方向に移動可能な状態で保持すると共に、コネクタの誘い込み構造を設け、サービスカバーの取付け過程で両コネクタの位置ずれが自然に修正されるようにした、いわゆるセルフアライメント構造を採用している。
【先行技術文献】
【特許文献】
【０００５】
【特許文献１】特開２０１２−２４８４１５号公報
【発明の概要】
【発明が解決しようとする課題】
【０００６】
上記の公知技術では、サービスカバーに取り付けた嵌合検知用のコネクタは、コネクタハウジング内に短絡用の端子金具のみを備えた特殊な構造であって、ワイヤハーネスの端末に設けられる回路接続用の一般的なワイヤコネクタではない。このため、そのコネクタハウジングをサービスカバーに移動可能に保持させるセルフアライメント構造は比較的容易に成立させることができる。
【０００７】
しかしながら、コネクタハウジングから電線が引き出されている、いわゆるワイヤコネクタを使用しようとすると、コネクタハウジングの背面の電線が邪魔になって、上記のセルフアライメント構造等のコネクタを変位可能に保持する構造を採用できないという問題があった。
【０００８】
なお、このようなワイヤコネクタを備えた別部材を電装品のケースに取り付ける構成としては、例えば電気駆動型車両のモータやインバータ装置のケースにワイヤコネクタを備えた別の電装品や筐体等を取り付ける構成があり、この種の構成によればその別部材の取付けに併せてコネクタ嵌合が自然にできるという利点がある。
【課題を解決するための手段】
【０００９】
本明細書で開示されるコネクタは、待ち受けコネクタを収容した機器のケースに固定される取付部材に取り付けられ、前記待ち受けコネクタと嵌合するコネクタであって、電線と接続された端子金具と、前記端子金具を収容するコネクタハウジングと、前記コネクタハウジングの前記取付部材側に取り付けられるカバー部材とを備えており、前記カバー部材は、前記電線を嵌合方向と交差する方向に引き出すように前記取付部材側から前記電線を押さえ込む押さえ込み部と、前記取付部材に設けられた保持部に対して前記待ち受けコネクタとの嵌合方向と直交する面内で移動可能な状態で保持される被保持部とを有している。
【００１０】
このような構成によると、カバー部材によって電線を押さえ込むことで、電線が邪魔にならないよう電線の引き出し方向を規制することができる。また、カバー部材が被保持部によって移動可能な状態で取付部材に保持されることで、コネクタと待ち受けコネクタとの間の位置ずれを修正することができる。すなわちカバー部材によって電線の引き出し方向を規制することでコネクタの保持構造を成立可能とし、その上で、そのカバー部材自体を利用してコネクタを移動可能に保持するための構造とすることができるから、少ない部品点数で構成することができる。
【００１１】
本明細書に開示されるコネクタの実施の態様として、以下の構成としてもよい。
前記カバー部材の取付部材側の端部には、前記被保持部として前記待ち受けコネクタとの嵌合方向と直交する面内において所定方向に突出する係合片が設けられており、前記取付部材には、前記保持部として、前記待ち受けコネクタとの嵌合方向と直交する面内において前記係合片の突出方向と交差する方向に延びて前記係合片と係合する係合溝が設けられると共に、前記係合片と前記係合溝との間には前記係合溝の延びる方向に前記コネクタを移動させるクリアランスが設けられており、前記カバー部材には、前記被保持部として前記待ち受けコネクタとの嵌合方向と直交する面内において前記取付部材側に突出し、かつ前記係合片の突出方向に延びる弾性係止片が設けられ、前記取付部材には、前記保持部として前記弾性係止片とが係止する係止部が設けられると共に、前記弾性係止片と前記係止部との間には前記弾性係止片の延びる方向に前記コネクタを移動させるクリアランスが設けられている構成としても良い。
【００１２】
このような構成では、係合片と係合溝との間にクリアランスがあり、弾性係止片と収容部との間にクリアランスがあることから、このクリアランスの寸法内において、コネクタが取付部材に対して移動可能となっている。また、係合片の突出方向に弾性係止片が延びていることから、係止片を係合溝に係合させた状態でカバー部材を取付部材に対して押し込むだけで、弾性係止片を係止部に係止させることができて抜け止め状態となる。
【００１３】
また、本明細書に開示されるコネクタと嵌合する待ち受けコネクタの実施の態様として、以下の構成としてもよい。
前記待ち受けコネクタのコネクタハウジングには、前記コネクタの嵌合時に前記コネクタの先端部が当接して前記コネクタを所定の嵌合位置に誘い込む誘い込みテーパー面が設けられており、前記誘い込みテーパー面は、前記取付部材を前記ケースに取り付ける状態において前記コネクタの移動可能な領域よりも広い範囲に形成されている構成としても良い。
【００１４】
このような構成では、取付部材をケースに取り付けると、取付部材に設けられているコネクタが待ち受けコネクタとの正規の嵌合位置からずれていたとしても、コネクタの先端が待ち受けコネクタの誘い込みテーパー面に当接してコネクタは自然と正規嵌合位置に誘い込まれる。また、誘い込みテーパー面が、コネクタの移動可能な領域よりも広い範囲に形成されているため、コネクタを予め正規位置に近い位置に寄せておかなくても、コネクタの初期位置を気にすることなく取付部材のケースへの取付作業を行うことができる。
【発明の効果】
【００１５】
本明細書に開示されたコネクタによれば、コネクタから引き出された電線の向きを規制することで、取付部材に対してコネクタを移動可能な状態で保持することができる。
【図面の簡単な説明】
【００１６】
【図１】実施形態に係る取付部材に取り付けられた状態のコネクタの正面図
【図２】取付部材とコネクタを組み付ける前の状態の側面図
【図３】取付部材とコネクタを組み付ける前の状態の斜視図
【図４】取付部材とコネクタを組み付ける前の状態の斜視図
【図５】中継コネクタの一部切欠き断面図
【図６】中継コネクタの平面図
【図７】中継コネクタをケースに組み付ける前の状態の斜視図
【図８】中継コネクタをケースに組み付ける前の状態の斜視図
【図９】図４におけるＩＸ−ＩＸ位置での中継コネクタの断面図
【図１０】中継コネクタとコネクタを嵌合した状態での斜視図
【図１１】中継コネクタとコネクタを嵌合した状態での正面図
【図１２】中継コネクタとコネクタを嵌合した状態での側面図
【図１３】中継コネクタとコネクタを嵌合した状態での断面図
【発明を実施するための形態】
【００１７】
＜実施形態＞
実施形態について図１から図１３を参照して説明する。
本実施形態では、車両に搭載された電気機器のケース９０に取り付けられる別部材の電装品の取付部材１０と、この取付部材１０に備えられたコネクタ２０を例示している。以下の説明では、上下方向は、図１及び図１１における上方（コネクタ２０の離脱方向）を上方とし、図１及び図１１における下方（コネクタ２０の嵌合方向）を下方として説明する。また、左右方向については、図１における左右方向を基準とし、前後方向については、図２における図示右方（ロックアーム３７の設けられている方）を前方、図示左方を後方として説明する。
【００１８】
コネクタ２０は、図１３に示すように、ケース９０内に設けられた中継コネクタ７０（「待ち受けコネクタ」の一例）と嵌合可能とされている。また、コネクタ２０は、合成樹脂製のコネクタハウジング２１と、複数の雌端子４０（「端子金具」の一例）と、雌端子４０に接続される被覆電線Ｗ（「電線」の一例）と、コネクタハウジング２１に組み付けられるカバー部材５０とを備えている。
【００１９】
コネクタハウジング２１は、図１及び図３に示すように、全体として上下に長い角柱状に形成されている。コネクタハウジング２１は、ハウジング本体２３と、雌端子４０を係止するリテーナ２５とを備えている。ハウジング本体２３には、図１３に示すように、雌端子４０を収容可能なキャビティ２７が上下方向に貫通するように複数並んで形成されている。キャビティ２７内には、ランス２９が設けられており、雌端子４０がキャビティ２７の上方から正規位置まで挿入されると、雌端子４０がランスによって一次係止される。また、ランス２９の上方には、リテーナ２５が装着可能な装着穴が設けられており、リテーナ２５が装着されることで、雌端子４０が二次係止される。
【００２０】
ハウジング本体２３の下端部には、中心から外側に向かって傾斜するガイド面３１が設けられている。このガイド面３１は、後記する中継コネクタ７０の誘い込みテーパー面７７と略平行になっている。また、ハウジング本体２３の側面が延伸してハウジング本体２３の前面２３Ａより前方に突出した側壁部３３が設けられている。この側壁部３３の下端部にもガイド面３１と略平行で、ガイド面３１より大きく切り欠かれた切欠き面３３Ａが設けられている。ハウジング本体２３の前面２３Ａの下端部には、後記する中継コネクタ７０のガイド用凹部８５と係合する略角柱状のガイド部３５が設けられている。
【００２１】
そして、ハウジング本体２３の前面２３Ａの略中央位置には、図１及び図３に示すように、ロックアーム３７が設けられている。このロックアーム３７が中継コネクタ７０に係止して、コネクタ２０と中継コネクタ７０との嵌合状態が保持される。また、ハウジング本体２３の上端部には、後記するカバー部材５０の係止孔５７に係止する一対の係止突起３９が設けられている。係止突起３９は、ハウジング本体２３の前後方向の中央より後側に設けられている。
【００２２】
雌端子４０は、図１３に示すように、雄端子８７と接続可能な接続部４１と、接続部４１の上方に接続部４１と一体に形成されたバレル部４３とを備えている。接続部４１は、上下に開口する角筒状をなしており、雄端子８７が下方から進入して接続部４１内の弾性接触片と接触することで、雌端子４０と雄端子８７とが電気的に接続される。バレル部４３は、被覆電線Ｗの端末に被覆電線Ｗの露出した芯線及び絶縁被覆にそれぞれカシメ付けられている。
【００２３】
カバー部材５０は、図３及び図４に示すように、コネクタハウジング２１に上側から取り付けられる。カバー部材５０は、合成樹脂製であって、下端部に設けられた押さえ込み部５１と、上端部に設けられた被保持部６１とを備えている。押さえ込み部５１は、下方と後方に開口した、略矩形状の箱形をしており、ハウジング本体２３に対して外側から組み付け可能な大きさとなっている。押さえ込み部５１の上壁部５３が被覆電線Ｗを上方から押さえ込むことで、被覆電線Ｗが押さえ込み部５１の後面開口５５から引き出されている。押さえ込み部５１の左右側面には、一対の係止孔５７が板厚方向に貫通している。係止孔５７の孔縁に係止突起３９が係止することで、カバー部材５０がハウジング本体２３に組み付けられている。
【００２４】
被保持部６１は、図３及び図４に示すように、係合片６３と弾性係止片６５とを有している。係合片６３は、カバー部材５０の上端部に一対設けられている。一対の係合片６３は、コネクタ２０の嵌合方向と直交する面内において、カバー部材の前方及び幅方向（左右方向）外側に突出して、略矩形状の平板状となっている。弾性係止片６５は、前後方向に延びて上下方向に変位可能となっており、上側に突部６５Ａが突出し、後記する取付部材１０の収容凹部１９（「係止部」の一例）の孔縁に係止する。弾性係止片６５は、カバー部材５０の幅方向の略中心位置に設けられている。また、弾性係止片６５は、上方及び後方に開口する箱形の弾性係止片収容部６７に収容されている。弾性係止片収容部６７の下面は、押さえ込み部５１の上壁部５３の下面と面一になっており、上壁部５３と共に被覆電線Ｗを押さえ込んでいる。また、弾性係止片６５及び弾性係止片収容部６７は、押さえ込み部５１よりも後方に突出している。
【００２５】
一方、取付部材１０には、図３及び図４に示すように、保持部１１として、係合片６３と嵌合する係合溝１３と、弾性係止片６５が係止する収容凹部１９とが設けられている。係合溝１３は、取付部材１０の下面と取付部材１０から下側に略Ｌ字状に突設された保持片１５の上面との間に設けられている。係合溝１３は、係合片６３の前後方向の長さとほぼ同じだけ前後方向に延びており、その前端には、前止まり壁１７が設けられている。前止まり壁１７に設けられた孔部１７Ａは、係合溝１３と連通しており、外側の孔縁は、係合溝１３の幅方向外側の内面と面一になっている。
【００２６】
収容凹部１９は、図３及び図４に示すように、弾性係止片６５の突部６５Ａを収容する。収容凹部１９は、取付部材１０の下面が上側に略矩形状に凹むことで設けられている。収容凹部１９は、幅方向において一対の保持片１５（係合溝１３）の略中央位置に設けられている。
【００２７】
一対の係合片６３は、図１及び図３に示すように、係合溝１３及び前止まり壁１７の孔部１７Ａとの間に、幅方向にクリアランスＣ１を有した状態で、係合溝１３内に嵌合される。また、弾性係止片６５と収容凹部１９との間にも、幅方向のクリアランスが設けられており、係合片６３がクリアランスＣ１内で幅方向に移動するのを妨げないようになっている。また、係合片６３が保持片１５に保持されていることで、カバー部材５０は、取付部材１０から脱落しないように保持されている。
【００２８】
また、弾性係止片６５は、図３及び図１３に示すように、その突部６５Ａと収容凹部１９との間に、前後方向にクリアランスＣ２を有した状態で、収容凹部１９内に収容されている。また、係合片６３は、前止まり壁１７にカバー部材５０が当接するまで前方に移動可能で、かつ係合溝１３は後方に開口しているため、弾性係止片６５の突部６５ＡがクリアランスＣ２内で前後方向に移動するのを妨げないようになっている。なお、係合片６３は、弾性係止片６５が最後端に移動しても、係合溝１３と嵌合可能なだけ前後方向の長さ寸法を有している。
【００２９】
以上のように、カバー部材５０は、被保持部６１である係合片６３と弾性係止片６５が、保持部１１である係合溝１３及び収容凹部１９にクリアランスＣ１、Ｃ２をもって保持されることで、嵌合方向と直交する面内（左右前後方向）に移動可能な状態で保持されている。つまり、コネクタ２０は、幅方向のクリアランスＣ１および上下方向のクリアランスＣ２との間において嵌合方向と直交する面内で移動可能な状態で取付部材１０に保持されている。
【００３０】
中継コネクタ７０は、図７及び図１３に示すように、ケース９０に組み付けられ、一方ではコネクタ２０と嵌合し、他方では機器コネクタＣと嵌合する。ここで、ケース９０には、中継コネクタ７０が組み付けられる装着孔９１が上下方向に開口している。そして、装着孔９１の左右方向の内面には、後記する中継コネクタ７０の弾性係合片７５と係合する係合突起９３が対向する位置に一対設けられている。
【００３１】
中継コネクタ７０は、図９及び図１３に示すように、合成樹脂製の中継コネクタハウジング７１と、複数の雄端子８７とを備えている。雄端子８７は、略Ｌ字状の角棒状となっており、雌端子４０と接続可能になっている。雄端子８７は、中継コネクタハウジング７１にその中間部が埋め込まれるようにして保持されている。
【００３２】
中継コネクタハウジング７１は、図７及び図８に示すように、全体としては、略Ｌ字状になっており、上方に開口するフード部７３を備えている。フード部７３の下面からは、雄端子８７が上方に向かって突出している。フード部７３の左右の側面には、ケース９０の係合突起９３に係合する弾性係合片７５が一対弾性変形可能に設けられている。弾性係合片７５に設けられた孔に係合突起９３が係合することで、ケース９０に中継コネクタハウジング７１が組み付けられる。
【００３３】
フード部７３の上端部には、図６及び図８に示すように、誘い込みテーパー面７７が設けられている。誘い込みテーパー面７７は、外側に向かってテーパー状に広がる傾斜面であって、フード部７３の各辺に設けられている。誘い込みテーパー面７７は、コネクタ２０がクリアランスＣ１、Ｃ２によって移動可能な領域よりも広い範囲に形成されている。誘い込みテーパー面７７は、ヒケ防止のための肉抜き穴７９が一部に設けられているが、コネクタ２０とは、線または面で接触しているため、誘い込みテーパー面７７の途中に設けられた肉抜き穴７９がコネクタ２０の誘い込み動作の妨げになることはない。
【００３４】
フード部７３の前側の内壁には、図６及び図８に示すように、ロックアーム３７が係止するロック係止部８１が設けられている。また、ロックアーム３７を収容するために、前側の誘い込みテーパー面７７Ａは、他の誘い込みテーパー面７７よりもその傾斜面の寸法が長くなっている。また、前側の誘い込みテーパー面７７Ａには、幅方向の両端部に側壁部３３を挿通可能とする切欠き部８３が設けられている。切欠き部８３とロック係止部８１との間にも、ガイド部３５を挿通可能とするガイド用凹部８５が設けられている。つまり、前側の誘い込みテーパー面７７Ａには、側壁部３３及びガイド部３５を下側に挿通させるための切欠き部８３及びガイド用凹部８５が設けられており、前側の誘い込みテーパー面７７Ａは、ハウジング本体２３の前面２３Ａの凸凹形状に沿った形状となっている。
【００３５】
本実施形態は、上記のような構成であって、以下においては、その作用及び効果について説明する。
まず、図５から図９を参考にして、中継コネクタ７０の組み立てについて説明する。雄端子８７がインサート成形された中継コネクタハウジング７１が成形される。そして、この中継コネクタハウジング７１の下端部側に機器コネクタＣが嵌合される。この状態で、図７に示すように、中継コネクタ７０がケース９０に組み付けられる。ケース９０の装着孔９１にフード部７３を下側から嵌め込む。そして、図５に示すように、装着孔９１の内面に左右方向に対向するように一対設けられた係合突起９３に、弾性係合片７５の孔部が係合して、中継コネクタ７０がケース９０に固定される。
【００３６】
一方で、コネクタ２０が組み立てられる。図４及び図１３を参考にして、コネクタ２０の組み立てについて説明する。コネクタ２０の組み立ての際には、複数の被覆電線Ｗに接続された雌端子４０をハウジング本体２３の上方から各キャビティ２７に挿入する。それぞれの雌端子４０が正規の位置まで挿入されると、雌端子４０がランス２９によって一次係止される。そして、雌端子４０に接続された被覆電線Ｗが、各キャビティ２７の上方に引き出される。
【００３７】
そして、雌端子４０がキャビティ２７内の正規位置に収容されると、リテーナ２５が装着される。リテーナ２５が装着されると、雌端子４０が二次係止される。雌端子４０が正規位置で係止され、被覆電線Ｗが上方に引き出された状態で、カバー部材５０が取り付けられる。被覆電線Ｗを後方に曲げた状態で、カバー部材５０をハウジング本体２３の上側から被せ、押さえ込み部５１が被覆電線Ｗを押さえ込みつつ、後面開口５５から後方に引き出す。同時に、ハウジング本体２３の側面に設けられた係止突起３９が、カバー部材５０の係止孔５７に係止する。被覆電線Ｗの引き出し位置に近い位置で、係止突起３９と係止孔５７が係止することから、カバー部材５０の押さえ込み部５１が被覆電線Ｗの反発力に抗って押さえ込むことができる。
【００３８】
カバー部材５０を組み付けて、コネクタ２０が完成したところで、コネクタ２０を取付部材１０に取り付ける。図３及び図４に示すように、カバー部材５０の係合片６３を後方から取付部材１０の係合溝１３に進入させて嵌合させ、コネクタ２０を取付部材１０に組み付ける。係合片６３が係合溝１３内の正規位置に至ると、カバー部材５０の弾性係止片６５の突部６５Ａが収容凹部１９内に収容され、コネクタ２０が取付部材１０から脱落しないように抜け止めされる。これにより、コネクタ２０が取付部材１０に対して前後左右方向に移動可能な状態で保持される。
【００３９】
次に、図９及び図１３を参照にして、取付部材１０の機器のケース９０への組み付けについて説明する。
ケース９０に取付部材１０を装着する際には、コネクタ２０と中継コネクタ７０とを向かい合わせに配置し、両コネクタ２０，７０を嵌合させるようにしてケース９０に取付部材１０を装着する。
【００４０】
ここで、取付部材１０をケース９０に取り付ける際に、取付部材１０とコネクタ２０及びケース９０と中継コネクタ７０との間の寸法公差によって、コネクタ２０と中継コネクタ７０との間に位置ずれが生じる虞がある。また、取付部材１０は、その下面にコネクタ２０が設けられているため、取付部材１０を取り付ける作業中においてコネクタ２０のハウジング本体２３を目視しにくく、いわば手探りの取付け作業を強いられる。
【００４１】
そこで、本実施形態では、コネクタ２０がクリアランスＣ１、Ｃ２の分だけ取付部材１０に対して前後左右方向（嵌合方向と直交する面内）に移動可能な状態となっている。そのため、コネクタ２０と中継コネクタ７０とが近接するにつれて、ハウジング本体２３の下端部のガイド面３１が誘い込みテーパー面７７と面接触しながら、コネクタ２０と中継コネクタ７０との軸心が合う位置に移動する。なお、誘い込みテーパー面７７は、コネクタ２０の移動可能な領域よりも広い範囲に形成されているため、コネクタ２０の初期位置に関係なくコネクタ２０を誘い込むことができる。
【００４２】
また、コネクタ本体２３は、図３及び図１３に示すように、その前面２３Ａにロックアーム３７が設けられており、ロックアーム３７がフード部７３のロック係止部８１に係止される。ロックアーム３７の収容スペースを確保するため、フード部７３は前側に大きく開口し、前側の誘い込みテーパー面７７Ａが他の誘い込みテーパー面７７より下側まで設けられている。
【００４３】
このようにして、コネクタ２０と中継コネクタ７０とが確実に嵌合され、ロックアーム３７がロック係止部８１に係止されることで、嵌合状態が保持される。また、コネクタ２０と中継コネクタ７０とが嵌合されると、雄端子８７が雌端子４０の接続部４１の弾性接触片と接触することで、雄端子８７と雌端子４０とが電気的に接続される。
【００４４】
以上のように、本実施形態では、カバー部材５０によって被覆電線Ｗを押さえ込むことで、被覆電線Ｗが邪魔にならないよう被覆電線Ｗの引き出し方向を規制することができる。また、カバー部材５０が被保持部６１によって移動可能な状態で取付部材１０に保持されることで、コネクタ２０と中継コネクタ７０との間の位置ずれを修正することができる。すなわちカバー部材５０によって被覆電線Ｗの引き出し方向を規制することでコネクタ２０の保持構造を成立可能とし、その上で、そのカバー部材５０自体を利用してコネクタ２０を移動可能に保持するための構造とすることができるから、少ない部品点数で構成することができる。
【００４５】
＜他の実施形態＞
本明細書で開示される技術は上記記述及び図面によって説明した実施形態に限定されるものではなく、例えば次のような実施形態も技術的範囲に含まれる。
（１）上記実施形態では、コネクタ２０内に収容される端子金具を雌端子４０としたが、雄端子として、相手側を雌端子としても良い。
【００４６】
（２）上記実施形態では、待ち受けコネクタを中継コネクタ７０としたが、中継コネクタではなくても良い。
【００４７】
（３）上記実施形態では、係止部として、上側に凹んだ収容凹部１９としたが、貫通した孔形状等他の形状でも良い。
【００４８】
（４）上記実施形態では、一対の係合片６３と弾性係止片６５及び係合溝１３と収容凹部１９によって、取付部材１０をカバー部材５０に対して移動可能な状態に保持したが、他の方法で移動可能な状態で保持しても良い。
【００４９】
（５）上記実施形態では、誘い込みテーパー面７７がコネクタ２０の移動可能な領域よりも広い範囲に形成されているようにしたが、誘い込みテーパー面がなくても良いし、もっと狭い範囲に形成されていても良い。
【符号の説明】
【００５０】
１０…取付部材
１１…保持部
１３…係合溝
１５…保持片
１７…前止まり壁
１７Ａ…孔部
１９…収容凹部（係止部）
２０…コネクタ
２１…コネクタハウジング
２３…ハウジング本体
３１…ガイド面
３７…ロックアーム
３９…係止突起
４０…雌端子（端子金具）
５０…カバー部材
５１…押さえ込み部
５７…係止孔
６１…被保持部
６３…係合片
６５…弾性係止片
６５Ａ…突部
７０…中継コネクタ（待ち受けコネクタ）
７１…中継コネクタハウジング
７３…フード部
７７……誘い込みテーパー面
８７…雄端子
９０…ケース
Ｗ…被覆電線（電線）
【図１】
2017117625.tif 000003
【図２】
2017117625.tif 000004
【図３】
2017117625.tif 000005
【図４】
2017117625.tif 000006
【図５】
2017117625.tif 000007
【図６】
2017117625.tif 000008
【図７】
2017117625.tif 000009
【図８】
2017117625.tif 000010
【図９】
2017117625.tif 000011
【図１０】
2017117625.tif 000012
【図１１】
2017117625.tif 000013
【図１２】
2017117625.tif 000014
【図１３】
2017117625.tif 000015